(57)【特許請求の範囲】
【請求項１】
ポーラスコンクリートブロックの表面に硫酸バンド、貝化石粉末及びゼオライト粉末の混合物を塗着したことを特徴とする緑化コンクリートブロック。
【請求項２】
ポーラスコンクリートの材料と、硫酸バンド、貝化石粉末及びゼオライト粉末との混合物に水を加えて混練成形したことを特徴とする緑化コンクリートブロック。
【請求項３】
硫酸バンド、貝化石粉末及びゼオライト粉末の混合物に水を加えて混練成形したブロックの外側に、ポーラスコンクリート層を設けたことを特徴とする緑化コンクリートブロック。
【請求項４】
ポーラスコンクリートの材料１０％〜８０％に対し、硫酸バンド、貝化石粉末及びゼオライト粉末の混合物を９０％〜２０％（質量）としたことを特徴とする請求項２記載の緑化コンクリートブロック。
【請求項５】
請求項１、２、３、４の何れか１項記載の緑化コンクリートブロックにより構築したことを特徴とする法面保護壁。
【発明の詳細な説明】
【０００１】
【発明の属する技術分野】
この発明は、植物の繁殖を容易にすると共に、護岸の目的を達成することを目的とした緑化コンクリートブロック及び法面保護壁に関する。
【０００２】
【従来の技術】
従来植生系護岸としては、浸蝕防止シート、石材などの連結素材又は緑化用ポーラスコンクリートが知られている。またコンクリート製の法枠内へ、植生用包装埴土を充填した植生用法枠装置の提案もある（特開平１１−５０４７７号）。
【０００３】
【発明により解決しようとする課題】
従来の法面保護壁は、前記のように植生系護岸への移行によって、改善されたけれども、外力を連続かつ激しく受ける場所（例えば河川護岸）においては、自然回復機能を保有させることが今後の課題とされている。
【０００４】
即ち河川では土砂の浸蝕、移動、堆積が絶えず生じており、その中で土砂の堆積する位置や、洪水外力あるいは洪水瀕度の小さい場所では植生による自然河岸が必要とされる場所は、水衝部など浸蝕を受ける位置であるため、ハードな護岸が必要な場所ほど、植生が安定的に成立することは困難となる。そこで自然型護岸では成立した植生が流失することをある程度前程として考える必要があるとされ、流失した箇所の自然回復力を付与することが護岸の管理、維持上重要とされている。
【０００５】
そこで流失しても植生基盤を維持するような技術開発を要請され、ポーラスコンクリートを利用することが推奨されるに至ったのである。
【０００６】
また前記自己再生機能に加えて、護岸の前面に土砂の堆積を促進させる仕組みを持たせることが有効であり、水制施工の併用なども考えられているが、植生に際し、植物を活性化する点については未だ不十分であり、技術開発の課題の一つとされていた。
【０００７】
前記公開発明は、耐久性と植生の促進について、陸上部の法面についてはきわめて有効であるが、河川の護岸（特に水流にさらされる場所）としては未だ不十分である。
【０００８】
【課題を解決するための手段】
この発明は、ポーラスコンクリートの特性（植生できて、所定の強度を有する）に、植物を活性化させると共に、水質等を改善させる機能を有する貝化石、ゼオライト及び硫酸バンドを併用することにより、前記従来の問題点を解決したのである。
【０００９】
即ちこの発明は、ポーラスコンクリートブロックの表面に硫酸バンド、貝化石粉末及びゼオライト粉末の混合物を塗着したことを特徴とする緑化コンクリートブロックであり、ポーラスコンクリートの材料と、硫酸バンド、貝化石粉末及びゼオライト粉末との混合物に水を加えて混練成形したことを特徴とする緑化コンクリートブロックである。
である。
【００１０】
また硫酸バンド、貝化石粉末及びゼオライト粉末の混合物に水を加えて混練成形したブロックの外側に、ポーラスコンクリート層を設けたことを特徴とする緑化コンクリートブロックであり、ポーラスコンクリートの材料１０％〜８０％に対し、硫酸バンド、貝化石粉末及びゼオライト粉末の混合物を９０％〜２０％（質量）としたものである。
【００１１】
次に法面保護壁の発明は、前記緑化コンクリートブロックにより構築した河川護岸その他の法面保護壁である。
【００１２】
前記発明において、ポーラスコンクリートに対する貝化石その他の材料を１０％（質量）以上としたのは、これらの材料を１０％未満とすると、貝化石等の特有の効果が低下する為である。尤も５％使用しても、使用しない場合より優れていることは当然である。特にポーラスコンクリートブロックが大きい場合に、その表面側（植生側）のみへ貝化石などを層着する場合には十分の効力がある。従って植生条件によって使用量は定まる。例えばポーラスコンクリートへ所定間隔（例えば５０ｃｍ）毎に凹入部を設け、この凹入部へ貝化石などを埋設して植生する場合には、前記ポーラスコンクリートの量に関係なく、植生に十分な量の貝化石等を使用すればよいことになるので、５％以下でも十分目的達成する場合がある。
【００１３】
前記貝化石等が８０％を越えると、全体の強度が低下し、河川護岸には不適当になる場合が多い。例えば法面保護（陸上）のみの為ならば、９０％を越えても十分利用することができる。例えば、河川のように水に洗われることがなく、植生に際し、植物が十分の強度に根付くまでの間などである。このような場合には、貝化石等のブロックの中に、補強用にポーラスコンクリートを埋設する程度でもよいことになる。
【００１４】
【発明の実施の形態】
この発明は、法面保護の強度を有し、かつ植生に適するポーラスコンクリートを改善し、植生の補助及び水質の浄化並び活性化を図ることを目的とした緑化コンクリートブロック及び法面保護壁である。
【００１５】
そこでポーラスコンクリートの表面に、貝化石、ゼオライト及び硫酸バンド（以下貝化石等という）の混合物を層着した緑化コンクリートブロックである。
【００１６】
またポーラスコンクリートの外囲に貝化石等の層を設けた緑化コンクリートブロックである。
【００１７】
更にポーラスコンクリートの材料と、貝化石等とを混合した材料を用いて成形した緑化コンクリートブロックである。
【００１８】
前記各緑化コンクリートブロックにより構築した法面保護壁である。
【００１９】
前記におけるポーラスコンクリートと貝化石等との割合は、一応の基準としては１０％〜８０％であるが、植生の促進及び強度の保持を目的にしているので、使用構造によって大差があり、前記材料割合に制限されるものではない。
【００２０】
【実施例１】
この発明の実施例を図１に基づいて説明する。ポーラスコンクリートブロック１の表面に、貝化石粉末４０％、ゼオライト粉末４０％、硫酸バンド２０％に適量の水（全体の４０％）を入れて混練した泥状物２を厚さ３ｃｍに塗布し、乾燥することによりこの発明の緑化コンクリートブロック３ができる。
【００２１】
前記における泥状物の厚さは３ｃｍに限定されることなく、１ｃｍ〜１０ｃｍを適宜選定するが、要は植物が速やかに根付き、ポーラスコンクリートブロック１と一体化させることを目標とするものであり、合せて水の浄化と、植物の活性化を促進する。
【００２２】
【実施例２】
この発明の他の実施例を図２に基づいて説明する。貝化石、軽石などの骨材に発泡剤を加えたポーラスコンクリート材料４を５０％（質量）に、貝化石粉末２０％、ゼオライト粉末２０％、硫酸バンド１０％を混合した混合物５に適量の水（全体の４０％〜５０％）を加えて混練し、形成した後乾燥すれば、この発明の緑化コンクリートブロック３ａができる。
【００２３】
前記における各成分の割合は、適宜であって、前記に限定されるものではない。例えばポーラスコンクリート材料４は、１０％〜８０％の適宜を選定することができる。
【００２４】
【実施例３】
この発明の他の実施例を図３に基づいて説明する。貝化石粉末４０％、ゼオライト粉末４０％及び硫酸バンド２０％の混合物に適量の水（例えば全量の５０％）を加えた混合物６の外側にポーラスコンクリート７を周繞設置して、この発明の緑化コンクリートブロック３ｂができる。
【００２５】
前記実施例を実際製造するには、例えばポーラスコンクリート箱内に、貝化石に水を加えた混合物を充填し、前記箱にポーラスコンクリートの蓋を被冠固定すれば、目的とする緑化コンクリートブロックができる。然し乍ら前記製造法に限定されるものではなく、従来公知の芯入りコンクリートブロックの技術をそのまま使用することができる。
【００２６】
【実施例４】
この発明の他の実施例を図４、５に基づいて説明する。法面９上に、貝化石粉末、ゼオライト粉末、硫酸バンドを使用した緑化コンクリートブロック１０を通常のコンクリートブロックと同一要領で順次敷設し、前記緑化コンクリートブロック１０の表面に３〜１０ｃｍの表土８を被覆し、草１１を植設して、この発明の法面保護壁１２を構成した（図４）。前記表土の厚さは、植設すべき草の種類により異なるが、１０ｃｍ以上の被覆は必要なく、植物が小さい場合には３ｃｍ以下をすることもできる。要は植物が根付くまでの保護であるから、植物を植設しない所はなしてもよい。例えば５０ｃｍ間隔で植設する場合には、根の回りに直径１０〜２０ｃｍ覆土すれば十分の場合もある。
【００２７】
また前記法面９につづいて河床１３にも貝化石粉末、ゼオライト粉末、硫酸バンドを使用した緑化コンクリートブロック１０を通常のコンクリートブロックと同一要領で順次敷設する。この場合には、水面１４となる場合もあって、草１１は水草又は水に強い草を選定することは勿論、表土についても多少の流れにっよっては流出しないような工夫を要する。例えば、緑化コンクリートブロックの表面に凹入部を設けて、該部に表土を充填して草を植設したり、貝化石、ゼオライト、硫酸バンドの層を厚く設けるようにする。
【００２８】
前記実施例によれば、水辺の法面及び河床にも植物を植生できるので、自然保護壁となって生態系にやさしく、かつ浄水効果により河川の汚染を防止することができる。
【００２９】
【発明の効果】
この発明によれば、ポーラスコンクリートの利点を更に助長して植物の生育に寄与すると共に、水を浄化し、植物を活性化して環境にやさしく、しかも河川壁等の保護をなし得るなどの効果がある。
【００３０】
またこの発明による緑化コンクリートブロックは、従来ポーラスコンクリートブロックに比し、前記効果があるが、製造が簡単で、設置費用も廉くできる利点もある。
【図面の簡単な説明】
【図１】この発明の実施例の断面図。
【図２】同じく他の実施例の断面図。
【図３】同じく貝化石等を芯とした実施例の断面図。
【図４】同じく法面に敷設した実施例の断面図。
【図５】同じく河床に敷設した実施例の断面図。
【符号の説明】
１  ポーラスコンクリートブロック
２  泥状物
３、３ａ、３ｂ、１０  緑化コンクリートブロック
４  ポーラスコンクリート材料
５、６  混合物
７  ポーラスコンクリート
８  表土
９  法面
１１  草
１２  法面保護壁
１３  河床
１４ 水面
【図１】
0004200235.tif 000002
【図２】
0004200235.tif 000003
【図３】
0004200235.tif 000004
【図４】
0004200235.tif 000005
【図５】
0004200235.tif 000006